(57)【要約】【課題】接着剤と接合面との間の界面剥離の進行を抑える。【解決手段】流路板２と振動板部材３とを接着剤４０で接合し、流路板２の接合面２ａには接着剤４０が入り込む溝部４１が設けられ、振動板部材３の接合面３ａにも接着剤４０が入り込む溝部４１が設けられ、溝部４１内に入り込んだ接着剤４０は、接合面２ａ、３ａに対してドーム状に盛り上がった盛り上がり部４０ａとなっており、接合面２ａ、３ａの面内方向において、溝部４１の壁面４１ａと盛り上がり部４０ａと間には隙間４３がある状態となっている。【選択図】図４
2019151026.tif 000002
【特許請求の範囲】
【請求項１】
第１部材と、
前記第１部材と接着剤で接合した第２部材と、を備え、
前記第１部材及び前記第２部材の少なくともいずれかの接合面には、前記接着剤が入り込む溝部が設けられ、
前記溝部に入り込んだ前記接着剤と前記溝部の壁面との間に隙間がある
ことを特徴とする液体吐出ヘッド。
【請求項２】
前記溝部に入り込んだ前記接着剤は接合面に対してドーム状に盛り上がっている
ことを特徴とする請求項１に記載の液体吐出ヘッド。
【請求項３】
前記第１部材は、液体を吐出するノズルが通じる流路を形成する流路板であり、
前記第２部材は、前記流路の壁面を形成する壁面部材である
ことを特徴とする請求項１又は２に記載の液体吐出ヘッド。
【請求項４】
前記溝部は、前記流路全体を囲んで設けられている
ことを特徴とする請求項１ないし３のいずれかに記載の液体吐出ヘッド。
【請求項５】
前記溝部は前記接合面の面内方向で複数設けられている
ことを特徴とする請求項１ないし４のいずれかに記載の液体吐出ヘッド。
【請求項６】
前記第１部材及び前記第２部材の各接合面に前記溝部が設けられ、
前記第１部材の前記溝部と前記第２部材の前記溝部とは非対向位置に設けられている
ことを特徴とする請求項１ないし５のいずれかに記載の液体吐出ヘッド。
【請求項７】
請求項１ないし６のいずれかに記載の液体吐出ヘッドを含むことを特徴とする液体吐出ユニット。
【請求項８】
前記液体吐出ヘッドに供給する液体を貯留するヘッドタンク、前記液体吐出ヘッドを搭載するキャリッジ、前記液体吐出ヘッドに液体を供給する供給機構、前記液体吐出ヘッドの維持回復を行う維持回復機構、前記液体吐出ヘッドを主走査方向に移動させる主走査移動機構の少なくともいずれか一つと前記液体吐出ヘッドとを一体化した
ことを特徴とする請求項７に記載の液体吐出ユニット。
【請求項９】
請求項１ないし６のいずれかに記載の液体吐出ヘッド、又は、請求項７若しくは８に記載の液体吐出ユニットを備えていることを特徴とする液体を吐出する装置
【発明の詳細な説明】
【技術分野】
【０００１】
本発明は液体吐出ヘッド、液体吐出ユニット、液体を吐出する装置に関する。
【背景技術】
【０００２】
液体を吐出する液体吐出ヘッドとして、個別液室などの流路を構成する複数の部材を接着剤で接合するものがある。
【０００３】
例えば、従来、流路板と振動板部材との接着剤の接合面に余剰接着剤を逃がす溝部（凹部）を設けることが知られている（特許文献１）。
【先行技術文献】
【特許文献】
【０００４】
【特許文献１】特開２０１４−１６２１５９号公報
【発明の概要】
【発明が解決しようとする課題】
【０００５】
ところで、２つの部材を接着剤で接合した場合、接合界面が液体に晒されることで、接合面と接着剤との間で界面剥離が生じるという課題がある。
【０００６】
本発明は上記の課題に鑑みてなされたものであり、接合面と接着剤との間の界面剥離の進行を抑えることを目的とする。
【課題を解決するための手段】
【０００７】
上記の課題を解決するため、本発明に係る液体吐出ヘッドは、
第１部材と、
前記第１部材と接着剤で接合した第２部材と、を備え、
前記第１部材及び前記第２部材の少なくともいずれかの接合面には、前記接着剤が入り込む溝部が設けられ、
前記溝部に入り込んだ前記接着剤と前記溝部の壁面との間に隙間がある
構成とした。
【発明の効果】
【０００８】
本発明によれば、接合面と接着剤との間の界面剥離の進行を抑えることができる。
【図面の簡単な説明】
【０００９】
【図１】発明の第１実施形態に係る液体吐出ヘッドのノズル配列方向と直交する方向に沿う断面説明図である。
【図２】図１のＸ−Ｘ線に沿う同ヘッドのノズル配列方向に沿う断面説明図である。
【図３】同ヘッドの要部平面説明図である。
【図４】図１のＢ部の要部拡大断面説明図である。
【図５】同実施形態の作用説明に供する図４と同様な要部拡大断面説明図である。
【図６】本発明の第２実施形態に係る液体吐出ヘッドのノズル配列方向と直交する方向に沿う図４と同様な要部拡大断面説明図である。
【図７】本発明の第３実施形態に係る液体吐出ヘッドのノズル配列方向と直交する方向に沿う図４と同様な要部拡大断面説明図である。
【図８】本発明の第４実施形態に係る液体吐出ヘッドのノズル配列方向と直交する方向に沿う断面説明図である。
【図９】本発明に係る液体を吐出する装置の一例の要部平面説明図である。
【図１０】同装置の要部側面説明図である。
【図１１】本発明に係る液体吐出ユニットの他の例の要部平面説明図である。
【図１２】本発明に係る液体吐出ユニットの更に他の例の正面説明図である。
【発明を実施するための形態】
【００１０】
以下、本発明の実施形態について添付図面を参照して説明する。本発明の第１実施形態について図１ないし図３を参照して説明する。図１は同実施形態に係る液体吐出ヘッドのノズル配列方向と直交する方向に沿う断面説明図、図２は図１のＸ−Ｘ線に沿う同ヘッドのノズル配列方向に沿う断面説明図、図３は同ヘッドの要部平面説明図である。
【００１１】
この液体吐出ヘッド１００は、ノズル板１と、流路板２と、壁面部材としての振動板部材３とを積層接合している。そして、振動板部材３の振動領域（振動板）３０を変位させる圧電アクチュエータ１１と、ヘッドのフレーム部材を兼ねている共通液室部材２０を備えている。
【００１２】
ノズル板１は、液体を吐出する複数のノズル４を有している。
【００１３】
流路板２は、ノズル４にノズル連通路５を介して通じる個別液室６、個別液室６に通じる供給流路を構成する流体抵抗部７、流体抵抗部７に通じる液導入部８を形成している。なお、導入部８は、２以上の流体抵抗部７に通じる構成としている。本実施形態では、流路板２は、ノズル板１側から３枚の板状部材２Ａ〜２Ｃで構成している。
【００１４】
振動板部材３は、流路板２の個別液室６の壁面を形成する変形可能な振動領域３０を有する。ここでは、振動板部材３は３層構造（限定されない）とし、流路板２側から薄肉部を形成する第１層と、厚肉部を形成する第２層及び第３層で形成され、第１層で個別液室６に対応する部分に変形可能な振動領域３０を形成している。
【００１５】
そして、振動板部材３の個別液室６とは反対側に、振動板部材３の振動領域３０を変形させる駆動手段（アクチュエータ手段、圧力発生手段）としての電気機械変換素子を含む圧電アクチュエータ１１を配置している。
【００１６】
この圧電アクチュエータ１１は、ベース部材１３上に接合した圧電部材にハーフカットダイシングによって溝加工をして、ノズル配列方向において、所要数の柱状の圧電素子１２Ａ、１２Ｂを所定の間隔で櫛歯状に形成している。
【００１７】
そして、圧電素子１２Ａを振動板部材３の振動領域（振動板）３０に形成した島状の厚肉部である凸部３０ａに接合し、圧電素子１２Ｂを同じく凸部３０ｂに接合している。なお、圧電素子１２Ｂは支持部として使用している。
【００１８】
この圧電素子１２は、圧電層と内部電極とを交互に積層したものであり、内部電極がそれぞれ端面に引き出されて外部電極が設けられ、外部電極にフレキシブル配線部材１５が接続されている。
【００１９】
共通液室部材２０は共通液室１０を形成し、共通液室１０には外部から液体を供給する供給路２１が通じている。
【００２０】
このように構成した液体吐出ヘッド１００においては、例えば圧電素子１２Ａに与える電圧を基準電位（中間電位）から下げることによって圧電素子１２Ａが収縮し、振動板部材３の振動領域３０が引かれて個別液室６の容積が膨張することで、個別液室６内に液体が流入する。
【００２１】
その後、圧電素子１２Ａに印加する電圧を上げて圧電素子１２Ａを積層方向に伸長させ、振動板部材３の振動領域３０をノズル４に向かう方向に変形させて個別液室６の容積を収縮させることにより、個別液室６内の液体が加圧され、ノズル４から液体が吐出される。
【００２２】
なお、ヘッドの駆動方法については上記の例（引き−押し打ち）に限るものではなく、駆動波形の与えた方によって引き打ちや押し打ちなどを行なうこともできる。
【００２３】
次に、本発明の第１実施形態における流路板と振動板部材との接合部分の詳細について図４も参照して説明する。図４は図１のＢ部の要部拡大断面説明図である。
【００２４】
本実施形態では、個別液室６などのノズル４に通じる流路を形成している流路板２を第１部材とし、同じく個別液室６などの流路の壁面を形成する壁面部材となる振動板部材３を第２部材として、流路板２と振動板部材３とを接着剤４０で接合している。
【００２５】
この図４の例では、流路板２と振動板部材３との接合界面が、振動板部材３の開口部９から流路板２の液導入部８につながる流路に接している。
【００２６】
そして、第１部材である流路板２の接合面２ａには接着剤４０が入り込む溝部４１が設けられ、第２部材である振動板部材３の接合面３ａにも接着剤４０が入り込む溝部４１が設けられている。
【００２７】
流路板２と振動板部材３とを接合する接着剤４０は、一部が溝部４１内に入り込んでいる。
【００２８】
この溝部４１内に入り込んだ接着剤４０は、接合面２ａ、３ａに対してドーム状に盛り上がった盛り上がり部４０ａとなっており、接合面２ａ、３ａの面内方向において、溝部４１の壁面４１ａと盛り上がり部４０ａと間には隙間４３がある状態となっている。
【００２９】
次に、本実施形態の作用について図５も参照して説明する。図５は同作用説明に供する図４と同様な要部拡大断面説明図である。
【００３０】
接着剤４０は、ヘッドで使用される多種多様な液体（インク）のすべてに対する耐性を有することはできず、例えば、水系インクに対して強い接着剤は溶剤インクに弱く、溶剤インクに対して強い接着剤は水系インクに対して弱いという特性がある。
【００３１】
そのため、液体との接触によって接着剤自体が膨潤又は溶出、接着対象物との界面剥離が発生することがある。特に、界面剥離が発生すると、毛管力によって液体が界面に送られ、加速度的に剥離が進行するために、流路からヘッドの外へのリークパスが比較的短時間で形成され、液体漏れにつながることになる。
【００３２】
例えば、図５に示すように、接着剤４０と振動板部材３の接合面３ａとの間に界面剥離４５が発生した場合、毛管力で液体３００は剥離部分へ染み込み、液体３００の染み込みで更に界面剥離４５が誘発されていくことなる。
【００３３】
ここで、本実施形態では、溝部４１の内部で接着剤４０の盛り上がり部４０ａがドーム状に盛り上がり、溝部４１の壁面４１ａとの間に隙間４３が形成されている。
【００３４】
そのため、溝部４１の壁面４１ａと盛り上がり部４０ａの間では毛管力が生じなくなり、界面剥離４５はその進行が停止することになる。
【００３５】
したがって、界面剥離４５の進行によって液体３００がヘッド外側に漏出することが防止される。
【００３６】
また、溝部４１は、図３に示すように、個別液室６などの流路全体をチャンネル（１つのノズルに対応する流路）毎に囲んで配置されているので、隣り合う流路へのリークも防止される。
【００３７】
この場合、溝部４１は流路に近ければ近い程、早い段階で界面剥離の進行を止めることができるので、好ましい。
【００３８】
次に、本発明の第２実施形態について図６を参照して説明する。図６は同実施形態に係る液体吐出ヘッドのノズル配列方向と直交する方向に沿う図４と同様な要部拡大断面説明図である。
【００３９】
本実施形態では、振動板部材３の溝部４１と流路板２の溝部４１とは対向しない位置（非対向位置）関係で設けられている。
【００４０】
つまり、前記第１実施形態のように、振動板部材３の溝部４１と流路板２の溝部４１とが対向する位置関係で設けられていると、溝部４１に集まる接着剤４０が二分されてそれぞれの溝部４１内に入り込むことになる。そのため、盛り上がり部４０ａの盛り上がりが少なくなるおそれがある。
【００４１】
そこで、本実施形態のように振動板部材３の溝部４１と流路板２の溝部４１とは対向しない位置関係で設けることにより、溝部４１に集まる接着剤４０が１つの溝部４１に集中するため、溝部４１内での盛り上がり部４０ａの盛り上がりを大きくすることができる。
【００４２】
この盛り上がり部４０ａの盛り上がりを大きくすることで、界面剥離の毛管力で進行してきた液体がその盛り上がり部４０ａを超えづらくなる。逆に、盛り上がり部４０ａの盛り上がりが低い、又は、盛り上がりがない状態であると、液体が溝部４１を超え、界面剥離を進行させるおそれがある。
【００４３】
したがって、盛り上がり部４０ａの盛り上がりを大きくすることで、界面剥離の進行をより確実に阻止することができる。
【００４４】
次に、本発明の第３実施形態について図７を参照して説明する。図７は同実施形態に係る液体吐出ヘッドのノズル配列方向と直交する方向に沿う図４と同様な要部拡大断面説明図である。
【００４５】
本実施形態では、振動板部材３の接合面３ａ、流路板２の接合面２ａのそれぞれの面内方向に沿って複数の溝部４１を設けている。
【００４６】
これにより、より確実に界面剥離の進行を阻止することができる。
【００４７】
次に、本発明の第４実施形態について図８を参照して説明する。図８は同実施形態に係る液体吐出ヘッドのノズル配列方向と直交する方向に沿う断面説明図である。
【００４８】
本実施形態に係る液体吐出ヘッドは、薄膜圧電素子を含む圧電アクチュエータ１１を圧力発生素子として使用するヘッドである。圧電アクチュエータ１１を有する振動板部材３及び流路板２を含むアクチュエータ基板６０と、アクチュエータ基板６０を保持し、開口部９に通じる開口部５１を形成した保持基板５０とを接着剤４０で接合している。
【００４９】
そして、アクチュエータ基板６０の振動板部材３（絶縁膜を含む）と保持基板５０との接合箇所に溝部４１を設け、前記各実施形態と同様に、盛り上がり部４０ａをドーム状に持ち上がらせている構成としている。
【００５０】
なお、上記各実施形態においては、流路板と振動板部材、振動板部材と保持基板との接合箇所に本発明を実施した例で説明しているが、ノズル板と流路板、振動板部材と共通液室部材、保持基板と共通液室部材の各接合箇所にも同様に適用することができる。
【００５１】
また、上記各実施形態においては、第１部材及び第２部材の各接合面にいずれも溝部を設けた例で説明したが、いずれか一方の接合面に溝部を設けて、溝部に入り込んだ接着剤と溝部壁面との間に隙間がある状態とすることもできる。このような構成でも、当該接合面における接着剤との界面剥離の進行を抑えることができる。
【００５２】
次に、本発明に係る液体を吐出する装置の一例について図９及び図１０を参照して説明する。図９は同装置の要部平面説明図、図１０は同装置の要部側面説明図である。
【００５３】
この装置は、シリアル型装置であり、主走査移動機構４９３によって、キャリッジ４０３は主走査方向に往復移動する。主走査移動機構４９３は、ガイド部材４０１、主走査モータ４０５、タイミングベルト４０８等を含む。ガイド部材４０１は、左右の側板４９１Ａ、４９１Ｂに架け渡されてキャリッジ４０３を移動可能に保持している。そして、主走査モータ４０５によって、駆動プーリ４０６と従動プーリ４０７間に架け渡したタイミングベルト４０８を介して、キャリッジ４０３は主走査方向に往復移動される。
【００５４】
このキャリッジ４０３には、本発明に係る液体吐出ヘッド４０４及びヘッドタンク４４１を一体にした液体吐出ユニット４４０を搭載している。液体吐出ユニット４４０の液体吐出ヘッド４０４は、例えば、イエロー（Ｙ）、シアン（Ｃ）、マゼンタ（Ｍ）、ブラック（Ｋ）の各色の液体を吐出する。また、液体吐出ヘッド４０４は、複数のノズルからなるノズル列を主走査方向と直交する副走査方向に配置し、吐出方向を下方に向けて装着している。
【００５５】
液体吐出ヘッド４０４の外部に貯留されている液体を液体吐出ヘッド４０４に供給するための供給機構４９４により、ヘッドタンク４４１には、液体カートリッジ４５０に貯留されている液体が供給される。
【００５６】
供給機構４９４は、液体カートリッジ４５０を装着する充填部であるカートリッジホルダ４５１、チューブ４５６、送液ポンプを含む送液ユニット４５２等で構成される。液体カートリッジ４５０はカートリッジホルダ４５１に着脱可能に装着される。ヘッドタンク４４１には、チューブ４５６を介して送液ユニット４５２によって、液体カートリッジ４５０から液体が送液される。
【００５７】
この装置は、用紙４１０を搬送するための搬送機構４９５を備えている。搬送機構４９５は、搬送手段である搬送ベルト４１２、搬送ベルト４１２を駆動するための副走査モータ４１６を含む。
【００５８】
搬送ベルト４１２は用紙４１０を吸着して液体吐出ヘッド４０４に対向する位置で搬送する。この搬送ベルト４１２は、無端状ベルトであり、搬送ローラ４１３と、テンションローラ４１４との間に掛け渡されている。吸着は静電吸着、あるいは、エアー吸引などで行うことができる。
【００５９】
そして、搬送ベルト４１２は、副走査モータ４１６によってタイミングベルト４１７及びタイミングプーリ４１８を介して搬送ローラ４１３が回転駆動されることによって、副走査方向に周回移動する。
【００６０】
さらに、キャリッジ４０３の主走査方向の一方側には搬送ベルト４１２の側方に液体吐出ヘッド４０４の維持回復を行う維持回復機構４２０が配置されている。
【００６１】
維持回復機構４２０は、例えば液体吐出ヘッド４０４のノズル面（ノズルが形成された面）をキャッピングするキャップ部材４２１、ノズル面を払拭するワイパ部材４２２などで構成されている。
【００６２】
主走査移動機構４９３、供給機構４９４、維持回復機構４２０、搬送機構４９５は、側板４９１Ａ，４９１Ｂ、背板４９１Ｃを含む筐体に取り付けられている。
【００６３】
このように構成したこの装置においては、用紙４１０が搬送ベルト４１２上に給紙されて吸着され、搬送ベルト４１２の周回移動によって用紙４１０が副走査方向に搬送される。
【００６４】
そこで、キャリッジ４０３を主走査方向に移動させながら画像信号に応じて液体吐出ヘッド４０４を駆動することにより、停止している用紙４１０に液体を吐出して画像を形成
する。
【００６５】
このように、この装置では、本発明に係る液体吐出ヘッドを備えているので、高画質画像を安定して形成することができる。
【００６６】
次に、本発明に係る液体吐出ユニットの他の例について図１１を参照して説明する。図１１は同ユニットの要部平面説明図である。
【００６７】
この液体吐出ユニットは、前記液体を吐出する装置を構成している部材のうち、側板４９１Ａ、４９１Ｂ及び背板４９１Ｃで構成される筐体部分と、主走査移動機構４９３と、キャリッジ４０３と、液体吐出ヘッド４０４で構成されている。
【００６８】
なお、この液体吐出ユニットの例えば側板４９１Ｂに、前述した維持回復機構４２０、及び供給機構４９４の少なくともいずれかを更に取り付けた液体吐出ユニットを構成することもできる。
【００６９】
次に、本発明に係る液体吐出ユニットの更に他の例について図１２を参照して説明する。図１２は同ユニットの正面説明図である。
【００７０】
この液体吐出ユニットは、流路部品４４４が取付けられた液体吐出ヘッド４０４と、流路部品４４４に接続されたチューブ４５６で構成されている。
【００７１】
なお、流路部品４４４はカバー４４２の内部に配置されている。流路部品４４４に代えてヘッドタンク４４１を含むこともできる。また、流路部品４４４の上部には液体吐出ヘッド４０４と電気的接続を行うコネクタ４４３が設けられている。
【００７２】
本願において、吐出される液体は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００７３】
液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００７４】
「液体吐出ユニット」は、液体吐出ヘッドに機能部品、機構が一体化したものであり、液体の吐出に関連する部品の集合体が含まれる。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
【００７５】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００７６】
例えば、液体吐出ユニットとして、液体吐出ヘッドとヘッドタンクが一体化されているものがある。また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
【００７７】
また、液体吐出ユニットとして、液体吐出ヘッドとキャリッジが一体化されているものがある。
【００７８】
また、液体吐出ユニットとして、液体吐出ヘッドを走査移動機構の一部を構成するガイド部材に移動可能に保持させて、液体吐出ヘッドと走査移動機構が一体化されているものがある。また、液体吐出ヘッドとキャリッジと主走査移動機構が一体化されているものがある。
【００７９】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【００８０】
また、液体吐出ユニットとして、ヘッドタンク若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。
【００８１】
主走査移動機構は、ガイド部材単体も含むものとする。また、供給機構は、チューブ単体、装填部単体も含むものする。
【００８２】
「液体を吐出する装置」には、液体吐出ヘッド又は液体吐出ユニットを備え、液体吐出ヘッドを駆動させて液体を吐出させる装置が含まれる。液体を吐出する装置には、液体が付着可能なものに対して液体を吐出することが可能な装置だけでなく、液体を 気中や液中に向けて吐出する装置も含まれる。
【００８３】
この「液体を吐出する装置」は、液体が付着可能なものの給送、搬送、排紙に係わる手段、その他、前処理装置、後処理装置なども含むことができる。
【００８４】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【００８５】
また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００８６】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００８７】
上記「液体が付着可能なもの」の材質は、紙、糸、繊維、布帛、皮革、金属、プラスチック、ガラス、木材、セラミックスなど液体が一時的でも付着可能であればよい。
【００８８】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００８９】
また、「液体を吐出する装置」としては、他にも、用紙の表面を改質するなどの目的で用紙の表面に処理液を塗布するために処理液を用紙に吐出する処理液塗布装置、原材料を溶液中に分散した組成液を、ノズルを介して噴射させて原材料の微粒子を造粒する噴射造粒装置などがある。
【００９０】
なお、本願の用語における、画像形成、記録、印字、印写、印刷、造形等はいずれも同義語とする。
【符号の説明】
【００９１】
１  ノズル板
２  流路板
３  振動板部材
４  ノズル
６  個別液室
１０  共通液室
４０  接着剤
４１  溝部
１００  液体吐出ヘッド
４０３  キャリッジ
４０４  液体吐出ヘッド
４４０  液体吐出ユニット
【図１】
2019151026.tif 000003
【図２】
2019151026.tif 000004
【図３】
2019151026.tif 000005
【図４】
2019151026.tif 000006
【図５】
2019151026.tif 000007
【図６】
2019151026.tif 000008
【図７】
2019151026.tif 000009
【図８】
2019151026.tif 000010
【図９】
2019151026.tif 000011
【図１０】
2019151026.tif 000012
【図１１】
2019151026.tif 000013
【図１２】
2019151026.tif 000014